(57)【特許請求の範囲】
【請求項１】
上部が免震ビル等の建物の下部外壁の躯体に回動可能に取付けられ、下部が目地部を介して設けられたよう壁に上下移動可能に当接するように設けられた目地部を覆う目地カバーと、前記目地部が広くなったり、異なる左右方向にずれた場合に前記目地カバーの下部をガイドできるように一端部が前記下部外壁の躯体に取付けられ、他端部が前記よう壁の上部に取付けられた伸縮可能な複数個の支持ワイヤーとからなることを特徴とする免震ビル等の目地装置。
【請求項２】
上部が免震ビル等の建物の下部外壁の躯体に回動可能に取付けられ、下部が目地部を介して設けられたよう壁の水切り用の傾斜面を有する突片の傾斜面に上下移動可能に当接するように設けられた目地部を覆う目地カバーと、一端部が前記下部外壁の躯体に取付けられ、他端部が前記目地部が広くなったり、異なる左右方向にずれた場合に、前記目地カバーの下部をガイドできるように前記よう壁の突片に取付けられた付勢スプリング、あるいは巻取り装置を用いた伸縮可能な複数個の支持ワイヤーとからなることを特徴とする免震ビル等の目地装置。
【発明の詳細な説明】
【０００１】
【発明の属する技術分野】
本発明は免震ビル等の下部外壁の躯体と目地部を介して設けられたよう壁との間の目地部を覆う免震ビル等の目地装置に関する。
【０００２】
【従来の技術】
従来、免震ビル等の建物は下部外壁の躯体とよう壁との間に目地部を設けているが、この目地部を直接覆うには伸縮可能な目地袋を用いている。
【０００３】
【発明が解決しようとする課題】
従来の目地部を直接覆う伸縮可能な目地袋を用いた場合には、目地部が上下方向に伸縮する場合にはそれほど問題が生じないが、左右方向に大きく揺れ動いた場合に損傷したり、元の状態に戻らなくなってしまうという欠点があった。
【０００４】
本発明は以上のような従来の欠点に鑑み、目地部が上下方向に伸縮したり、異なる左右方向にずれた場合でも損傷することなく、自動的に元の状態に戻すことができる、直接目地部を覆うことができる免震ビル等の目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は上部が免震ビル等の建物の下部外壁の躯体に回動可能に取付けられ、下部が目地部を介して設けられたよう壁に上下移動可能に当接するように設けられた目地部を覆う目地カバーと、一端部が前記下部外壁の躯体に取付けられ、他端部が前記目地部が広くなったり、異なる左右方向にずれた場合に前記目地カバーの下部をガイドできるように前記よう壁の上部に取付けられた伸縮可能な複数個の支持ワイヤーとで免震ビル等の目地装置を構成している。
【０００７】
【発明の実施の形態】
以下、図面に示す実施の形態により、本発明を詳細に説明する。
【０００８】
図１ないし図８に示す本発明の第１の実施の形態において、１は免震ビル等の建物２の下部外壁の躯体３と目地部４を介して設けられたよう壁５との間の目地部４を覆う本発明の免震ビル等の目地装置で、この免震ビル等の目地装置１は前記下部外壁の躯体３にヒンジ部材６を介して上端部を中心に回動可能に取付けられ、下部が前記よう壁５に上下移動可能に当接するように設けられた目地部４を覆う目地カバー７と、前記ヒンジ部材６の外周部を覆うシール剤８と、一端部が前記下部外壁の躯体３に取付けられ、他端部が前記目地部４が広くなったり、異なる左右方向にずれた場合に、前記目地カバー７の下部をガイドできるように前記よう壁５の上部に取付けられた伸縮可能な複数個の支持ワイヤー９とで構成されている。
【０００９】
前記目地カバー７は図３に示すようにステンレス、ステンレス合金、アルミ合金等の金属板で薄箱状に形成された耐火パネル１０と、この耐火パネル１０内に充填された断熱材１１とで構成されている。
なお、本発明の実施の形態ではリップミゾ形鋼形状の開口部を金属板で覆った耐火パネル１０を用いた目地カバー７に付いて図示したが、これに限らず、リップミゾ形鋼形状の耐火パネル１０の内部にパネル状の断熱材１１を挿入固定した目地カバー７であってもよい。
【００１０】
前記伸縮可能な複数個の支持ワイヤー９は図４に示すように、支持ワイヤー本体１２と、この支持ワイヤー本体１２の一端部に接続されたコイルスプリング１３とで構成され、前記支持ワイヤー本体１２のほぼ中央部が前記下部外壁の躯体３に取付けられたガイドローラー１４を通過するように取付けられている。
【００１１】
上記構成の免震ビル等の目地装置１は通常状態では図２に示すように、目地カバー７の自重によって、該目地カバー７の下端部がよう壁５の外壁面５ａに当接した状態となり、目地部４を覆った状態となる。
【００１２】
地震等によって上下方向に揺れ動き、目地部４が伸縮した場合には、図５および図６に示すように、目地カバー７の下端部がよう壁５の外壁面５ａや伸縮可能な複数個の支持ワイヤー９に沿って上下移動して、その揺れ動きを吸収する。
【００１３】
また、地震等によって異なる左右方向に目地部４がずれた場合には、図７および図８に示すように、目地カバー７の下端部がよう壁５の外壁面５ａより離れたり、伸縮可能な複数個の支持ワイヤー９に沿って上下移動して、その揺れ動きを吸収し、揺れが停止すると元の状態に自動的に戻る。
【００１４】
【発明の異なる実施の形態】
次に、図９ないし図２０に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図９ないし図１１に示す本発明の第２の実施の形態において、前記本発明の第１の実施の形態と主に異なる点は、支持ワイヤー本体１２を常時巻取り方向に巻き取れるように渦巻きスプリング１５を用いた支持ワイヤー巻取り具１６を用いた伸縮可能な複数個の支持ワイヤー９Ａを用いた点で、このように形成された伸縮可能な複数個の支持ワイヤー９Ａを用いて構成した免震ビル等の目地装置１Ａにしても、前記本発明の第１の実施の形態と同様な作用効果が得られる。
【００１６】
図１２ないし図１４に示す本発明の第３の実施の形態において、前記本発明の第１の実施の形態と主に異なる点は、上部に水切り用の傾斜面１７を有する突片１８をよう壁５Ａに形成し、該よう壁５Ａの突片１８の傾斜面１７に目地カバー７Ａの下端部の傾斜面７ａが当接するように形成するとともに、目地カバー７Ａの下端部を磁石１９によって前記よう壁５Ａの突片１８の傾斜面１７に当接するようにした点で、このように構成した免震ビル等の目地装置１Ｂにしても、前記本発明の第１の実施の形態と同様な作用効果が得られる。
【００１７】
図１５ないし図１７に示す本発明の第４の実施の形態において、前記本発明の第３の実施の形態と主に異なる点は、内側部位に内側目地カバー２０と、内側伸縮可能な複数個の支持ワイヤー２１とを用いた点で、このように構成した免震ビル等の目地装置１Ｃにしても、前記本発明の第３の実施の形態と同様な作用効果が得られるとともに、より完全に目地部４を覆うことができる。
【００１８】
図１８ないし図２０に示す本発明の第５の実施の形態において、前記本発明の第１の実施の形態と主に異なる点は、Ｌ字状の取付け部材２２の先端部にＣ字状の軸受部２３が形成され、該軸受部２３に回動可能に取付けられる玉縁形状の軸部２４が耐火パネル１０Ａの上部に一体形成されたヒンジ部材６Ａおよび目地カバー７Ｂを用いるとともに、ガイドローラー１４をよう壁５の上部に取付けた伸縮可能な複数個の支持ワイヤー９Ｂとを用いた点で、このように構成した免震ビル等の目地装置１Ｄにしても、前記本発明の第１の実施の形態と同様な作用効果が得られるとともに、伸縮可能な複数個の支持ワイヤー９Ｂの取付け作業を容易に行なうことができる。
【００１９】
【発明の効果】
以上の説明から明らかなように、本発明にあっては次に列挙する効果が得られる。
【００２０】
（１）上部が免震ビル等の建物の下部外壁の躯体に回動可能に取付けられ、下部が目地部を介して設けられたよう壁に上下移動可能に当接するように設けられた目地部を覆う目地カバーと、一端部が前記下部外壁の躯体に取付けられ、他端部が前記目地部が広くなったり、異なる左右方向にずれた場合に前記目地カバーの下部をガイドできるように前記よう壁の上部に取付けられた伸縮可能な複数個の支持ワイヤーとで構成されているので、目地部が異なる左右方向に地震等によって揺れ動き、目地カバーの下端部が目地部内へ入り込むように回動する場合には、伸縮可能な複数個の支持ワイヤーに支持されて移動させることができる。
したがって、目地部内に目地カバーの下端部が入り込み、揺れ動きの停止で損傷したりする事故を確実に防止することができる。
【００２１】
（２）前記（１）によって、目地部が伸縮したり、異なる左右方向にずれても、目地カバーの下端部が上下移動したり、伸縮可能な複数個の支持ワイヤーに沿って移動して、その揺れ動きを損傷することなく吸収するとともに、揺れ動きが停止すると元の状態に自動的に戻すことができる。
したがって、特別なメンテナンス作業が不要で、楽に使用することができる。
【００２２】
（３）前記（１）によって、目地部を直接覆っているので、目地部を覆うために外周部に目地装置等を設置しなくてもよく、大きなスペースが不要で、コンパクトに設置することができる。
【００２３】
（４）前記（１）によって、構造が簡単で、容易に設置することができる。
【００２４】
（５）請求項２も前記（１）〜（４）と同様な効果が得られる。
【図面の簡単な説明】
【図１】本発明の第１の実施の形態の取付け状態の説明図。
【図２】図１の２−２線に沿う拡大断面図。
【図３】本発明の第１の実施の形態の目地カバーの説明図。
【図４】本発明の第１の実施の形態の伸縮可能な支持ワイヤーの説明図。
【図５】本発明の第１の実施の形態の目地部が広くなった動作説明図。
【図６】本発明の第１の実施の形態の目地部が狭くなった動作説明図。
【図７】目地部が異なる左右方向の一方向にずれた動作説明図。
【図８】目地部が異なる左右方向の他方向にずれた動作説明図。
【図９】本発明の第２の実施の形態の取付け状態の説明図。
【図１０】図９の１０−１０線に沿う拡大断面図。
【図１１】本発明の第２の実施の形態の伸縮可能な支持ワイヤーの説明図。
【図１２】本発明の第３の実施の形態の取付け状態の説明図。
【図１３】図１２の１３−１３線に沿う拡大断面図。
【図１４】目地部が異なる左右方向にずれた動作説明図。
【図１５】本発明の第４の実施の形態の取付け状態の説明図。
【図１６】図１５の１６−１６線に沿う拡大断面図。
【図１７】目地部が異なる左右方向にずれた動作説明図。
【図１８】本発明の第５の実施の形態の取付け状態の説明図。
【図１９】図１８の１９−１９線に沿う拡大断面図。
【図２０】本発明の第５の実施の形態の目地カバー、ヒンジ部材の説明図。
【符号の説明】
１、１Ａ、１Ｂ、１Ｃ、１Ｄ：免震ビル等の目地装置、
２：建物、              ３：下部外壁の躯体、
４：目地部、            ５、５Ａ：よう壁、
６、６Ａ：ヒンジ部材、
７、７Ａ、７Ｂ：目地カバー、
８：シール剤、
９、９Ａ、９Ｂ：伸縮可能な支持ワイヤー、
１０、１０Ａ：耐火パネル、
１１：断熱材、          １２：支持ワイヤー本体、
１３：コイルスプリング、１４：ガイドローラー、
１５：渦巻きスプリング、１６：支持ワイヤー巻取り具、
１７：水切り用の傾斜面、１８：突片、
１９：磁石、            ２０：内側目地カバー、
２１：内側伸縮可能な支持ワイヤー、
２２：取付け部材、      ２３：軸受部、
２４：軸部。
【図１】
0003650037.tif 000002
【図２】
0003650037.tif 000003
【図３】
0003650037.tif 000004
【図４】
0003650037.tif 000005
【図５】
0003650037.tif 000006
【図６】
0003650037.tif 000007
【図７】
0003650037.tif 000008
【図８】
0003650037.tif 000009
【図９】
0003650037.tif 000010
【図１０】
0003650037.tif 000011
【図１１】
0003650037.tif 000012
【図１２】
0003650037.tif 000013
【図１３】
0003650037.tif 000014
【図１４】
0003650037.tif 000015
【図１５】
0003650037.tif 000016
【図１６】
0003650037.tif 000017
【図１７】
0003650037.tif 000018
【図１８】
0003650037.tif 000019
【図１９】
0003650037.tif 000020
【図２０】
0003650037.tif 000021